(57)【要約】【課題】各部の取り間違えを抑制する。【解決手段】本明細書によって開示される接続モジュールは、正極および負極の電極端子７３を有する蓄電素子７１が複数個並べられた蓄電素子群７０に取り付けられる接続モジュール４０であって、隣り合う蓄電素子７１の電極端子７３同士を接続する複数のバスバ２０と、複数のバスバ２０を保持した状態で蓄電素子群７０に固定される絶縁プロテクタ４１と、を備え、絶縁プロテクタ４１は、第１プロテクタ５０と、第１プロテクタ５０とは別体の第２プロテクタ６０とによって構成されており、第１プロテクタ５０には第１識別子５９が設けられており、第２プロテクタ６０には第２識別子６９が設けられている接続モジュール。【選択図】図１
2019192558.tif 000002
【特許請求の範囲】
【請求項１】
正極および負極の電極端子を有する蓄電素子が複数個並べられた蓄電素子群に取り付けられる接続モジュールであって、
隣り合う前記蓄電素子の前記電極端子同士を接続する複数のバスバと、
前記複数のバスバを保持した状態で前記蓄電素子群に固定される絶縁プロテクタと、を備え、
前記絶縁プロテクタは、第１プロテクタと、前記第１プロテクタとは別体の第２プロテクタとによって構成されており、
前記第１プロテクタには、第１識別子が設けられており、
前記第２プロテクタには、第１識別子とは異なる第２識別子が設けられている接続モジュール。
【請求項２】
前記絶縁プロテクタは、前記複数のバスバと、前記蓄電素子群の一方の極性の電力を出力する第１外部接続部材と、前記蓄電素子群の他方の極性の電力を出力する第２外部接続部材とを保持しており、
前記第１識別子は、前記第１外部接続部材の極性を識別する識別子とされ、
前記第２識別子は、前記第２外部接続部材の極性を識別する識別子とされている請求項１に記載の接続モジュール。
【請求項３】
前記第１識別子は、前記第１プロテクタが前記第２プロテクタと異なる色によって形成されることで前記第２識別子とは異なる色によって形成されている請求項２に記載の接続モジュール。
【請求項４】
前記第１外部接続部材および前記第２外部接続部材は、外部機器の端子が接続される端子接続部であって、前記絶縁プロテクタの外壁に配置された端子接続部を有しており、
前記第１識別子および前記第２識別子は、前記端子接続部が配置された前記絶縁プロテクタの外壁に設けられている請求項２または請求項３に記載の接続モジュール。
【請求項５】
前記第１プロテクタは、前記複数のバスバを保持しており、
前記第２プロテクタは、前記第１外部接続部材と前記第２外部接続部材とを保持しており、
前記第２プロテクタの外壁の一部は、前記第１外部接続部材と前記複数のバスバとの間に配される絶縁壁によって構成されており、
前記第２識別子は、前記絶縁壁に設けられている請求項３に記載の接続モジュール。
【請求項６】
前記複数の蓄電素子を収容するフレームを有する前記蓄電素子群と、
請求項１から請求項５のいずれか一項に記載の接続モジュールと、を備えた蓄電モジュールであって、
前記絶縁プロテクタにおいて前記第１識別子もしくは前記第２識別子が設けられた部分は、前記蓄電素子側に突出することで、前記接続モジュールを前記蓄電素子群に組み付ける際に前記フレームに当接して前記接続モジュールを正規位置に案内するガイド部とされている蓄電モジュール。
【発明の詳細な説明】
【技術分野】
【０００１】
本明細書によって開示される技術は、接続モジュールおよび蓄電モジュールに関する。
【背景技術】
【０００２】
例えば、直線上に並ぶ複数の電池を直列接続するバスバモジュールとして、特開２０１４−２３８９８６号公報（下記特許文献１）に記載のものが知られている。このバスバモジュールは、電池に設けられた電極同士をバスバによって電気的に接続することで複数の電池を直列に接続しており、複数の電池のうち両端に位置には、電動モータなどの外部機器が接続される外部接続部が設けられている。
【先行技術文献】
【特許文献】
【０００３】
【特許文献１】特開２０１４−２３８９８６号公報
【発明の概要】
【発明が解決しようとする課題】
【０００４】
ところで、バスバモジュールの両端に配置された外部接続部は、互いに異なる極性を有しているものの、外部接続部の極性が判り難く、外部接続部に対して外部接続部を接続する際に、極性を間違えて接続してしまう虞がある。
【０００５】
本明細書では、各部の取り間違えを抑制する技術を開示する。
【課題を解決するための手段】
【０００６】
本明細書によって開示される技術は、正極および負極の電極端子を有する蓄電素子が複数個並べられた蓄電素子群に取り付けられる接続モジュールであって、隣り合う前記蓄電素子の前記電極端子同士を接続する複数のバスバと、前記複数のバスバを保持した状態で前記蓄電素子群に固定される絶縁プロテクタと、を備え、前記絶縁プロテクタは、第１プロテクタと、前記第１プロテクタとは別体の第２プロテクタとによって構成されており、前記第１プロテクタには、第１識別子が設けられており、前記第２プロテクタには、第１識別子とは異なる第２識別子が設けられている構成とした。
【０００７】
このような構成の接続モジュールによると、第１プロテクタや第２プロテクタと類似のプロテクタや、第１プロテクタと第２プロテクタとの違いを容易に識別することができる。また、第１プロテクタや第２プロテクタに取り付けられた部材が異なる場合には、識別子を確認することで、それぞれのプロテクタに取り付けられる部材を識別することができる。
【０００８】
本明細書によって開示される接続モジュールは、以下の構成としてもよい。
前記絶縁プロテクタは、前記複数のバスバと、前記蓄電素子群の一方の極性の電力を出力する第１外部接続部材と、前記蓄電素子群の他方の極性の電力を出力する第２外部接続部材とを保持しており、前記第１識別子は、前記第１外部接続部材の極性を識別する識別子とされ、前記第２識別子は、前記第２外部接続部材の極性を識別する識別子とされている構成としてもよい。
【０００９】
このような構成によると、第１外部接続部材の極性や第２外部接続部材の極性を容易に識別することができる。これにより、それぞれの外部接続部材に対して極性を間違えて外部機器を接続することを抑制することができる。
【００１０】
前記第１識別子は、前記第１プロテクタが前記第２プロテクタと異なる色によって形成されることで前記第２識別子とは異なる色によって形成されている構成としてもよい。
【００１１】
このような構成によると、第１識別子と第２識別子とが各プロテクタと同様に互いに異色となるから、それぞれの外部接続部の極性が識別し易く、外部接続部材の極性の間違いをさらに抑制することができる。
【００１２】
前記第１外部接続部材および前記第２外部接続部材は、外部機器の端子が接続される端子接続部であって、前記絶縁プロテクタの外壁に配置された端子接続部を有しており、前記第１識別子および前記第２識別子は、前記端子接続部が配置された前記絶縁プロテクタの外壁に設けられている構成としてもよい。
【００１３】
このような構成によると、端子接続部が配置された絶縁プロテクタの外壁に識別子が設けられた構成となるから、例えば、識別子が、端子接続部が配置された絶縁プロテクタの外壁とは異なる外壁に設けられている場合に比べて、外部接続部材の極性が識別し易く、外部機器の端子を接続する際の外部接続部材に対する極性の間違いをさらに抑制することができる。
【００１４】
前記第１プロテクタは、前記複数のバスバを保持しており、前記第２プロテクタは、前記第１外部接続部材と前記第２外部接続部材とを保持しており、前記第２プロテクタの外壁の一部は、前記第１外部接続部材と前記複数のバスバとの間に配される絶縁壁によって構成されており、前記第２識別子は、前記絶縁壁に設けられている構成としてもよい。
【００１５】
このような構成によると、第１外部接続部材とバスバとを絶縁する絶縁壁を識別子を設ける壁として兼用することができるから、識別子を設ける部分を別途設ける必要がなく、接続モジュールが複雑化することを抑制できる。
【００１６】
前記複数の蓄電素子を収容するフレームを有する前記蓄電素子群と、前記の接続モジュールとを備えた蓄電モジュールであって、前記絶縁プロテクタにおいて前記第１識別子もしくは前記第２識別子が設けられた部分は、前記蓄電素子側に突出することで、前記接続モジュールを前記蓄電素子群に組み付ける際に前記フレームに当接して前記接続モジュールを正規位置に案内するガイド部とされている構成としてもよい。
【００１７】
このような構成によると、接続モジュールを蓄電素子群に組み付ける際のガイド部と識別子が設けられる部分とを兼用することができ、識別子を設ける部分を別途設ける必要がなく、接続モジュール、ひいては蓄電モジュールが複雑化することを抑制できる。
【発明の効果】
【００１８】
本明細書によって開示される技術によれば、各部の取り間違えを抑制することができる。
【図面の簡単な説明】
【００１９】
【図１】蓄電モジュールの正面図
【図２】蓄電モジュールの平面図
【図３】蓄電モジュールの分解正面図
【図４】バスバが組み付けられた第１プロテクタの平面図
【図５】外部接続バスバが組み付けられた第２プロテクタの平面図
【図６】蓄電素子群の平面図
【図７】図１のＡ−Ａ線断面図
【図８】図７の一部拡大断面図
【図９】図１のＢ−Ｂ線断面図
【図１０】図９の一部拡大断面図
【発明を実施するための形態】
【００２０】
＜実施形態＞
本明細書に開示された技術における一実施形態について図１から図１０を参照して説明する。
本実施形態は、例えば、電気自動車やハイブリッド自動車等の車両に搭載されて、車両を駆動するための動力源として使用される蓄電モジュール１０であって、図２に示すように、蓄電素子７１を複数並べて構成される蓄電素子群７０と、この蓄電素子群７０に取り付けられる接続モジュール４０とを備えて構成されている。
【００２１】
各蓄電素子７１は、例えば、二次電池であって、図６に示すように、複数（本実施形態では５個）の蓄電素子７１が平面視略矩形状のフレーム７５内に収容されることで蓄電素子群７０が構成されている。
【００２２】
各蓄電素子７１の上面における左右方向の両端部寄りの位置には、図６に示すように、一対の扁平な電極端子７３が配置されている。電極端子７３のうちの一方は正極端子７３Ｐとされ、他方は負極端子７３Ｎとされている。
【００２３】
また、蓄電素子７１は、図６に示すように、前後に隣り合う２つの蓄電素子７１において、異なる極性の電極端子７３が互いに隣り合うように（つまり、１つの蓄電素子７１の正極端子７３Ｐと、これと隣接する他の蓄電素子７１の負極端子７３Ｎとが互いに隣り合うように）前後方向に一列に並べられた状態でフレーム７５内に収容されている。
【００２４】
各蓄電素子７１の上部における一対の電極端子７３の間には、接続モジュール４０に設けられた図示しない係止部が嵌合する被係止部７７が設けられている。係止部が被係止部７７に嵌合し、係止部と被係止部７７とが上下方向に係止することで、接続モジュール４０が蓄電素子群７０上に保持固定されるようになっている。
【００２５】
接続モジュール４０は、図２、図４、図５に示すように、前後に隣り合う蓄電素子７１の正極端子７３Ｐと負極端子７３Ｎとを接続する複数のバスバ２０と、蓄電素子群７０の蓄電素子７１の並び方向の前後両端に位置する一方の電極端子７３に接続される端部バスバ２５と、端部バスバ２５に接続されると共に、図示しない外部機器が接続される一対の外部接続バスバ（「外部接続部材」の一例）３０と、これらのバスバ２０，３０を互いに絶縁して保持する絶縁プロテクタ４１とを備えて構成されている。
【００２６】
バスバ２０は、例えば銅、銅合金、アルミニウム、アルミニウム合金、ステンレス鋼（ＳＵＳ）などの導電性に優れた金属板や、アルミニウム板と銅板とを貼り合せた金属板などをプレス加工するなどして左右方向に僅かに長い略矩形状の平板状に形成されている。
【００２７】
バスバ２０は、前後に隣り合う蓄電素子７１の電極端子７３に跨がるように隣り合う蓄電素子７１の電極端子７３上に載置される大きさとされており、バスバ２０の前後方向両端部とそれぞれの電極端子７３とが溶接などによって電気的に接続されることで隣り合う蓄電素子７１が直列接続されている。なお、本実施形態では、隣り合う蓄電素子７１において異なる極性の電極端子７３を互いに隣り合うように配置することで、隣り合う蓄電素子７１を直列接続している。しかしながら、蓄電素子群７０における一部の隣り合う蓄電素子７１において、同一極性の電極端子７３を互いに隣り合うように配置することで、蓄電素子群７０の一部の隣り合う蓄電素子７１を並列接続してもよい。
【００２８】
端部バスバ２５は、例えば銅、銅合金、アルミニウム、アルミニウム合金、ステンレス鋼（ＳＵＳ）などの導電性に優れた金属板などをプレス加工するなどして左右方向に細長い略矩形状の平板状に形成されており、前後方向の長さ寸法は、バスバ２０の約半分とされている。本実施形態では、端部バスバ２５は、後端部左側と前端部右側とに配置されており、後端部左側に配された端部バスバ２５は、最後部に配された蓄電素子７１の負極端子７３Ｎに接続される負極端部バスバ２５Ｎとされ、前端部右側に配された端部バスバ２５は、最前部に配された蓄電素子７１の正極端子７３Ｐに接続される正極端部バスバ２５Ｐとされている。
【００２９】
一対の外部接続バスバ３０は、例えば銅、銅合金、アルミニウム、アルミニウム合金、ステンレス鋼（ＳＵＳ）などの導電性に優れた金属板などをプレス加工するなどして形成されている。
【００３０】
一対の外部接続バスバ３０のうちの一方は、前後方向に短尺な正極外部接続バスバ（「第２外部接続部材」の一例）３１とされ、一対の外部接続バスバ３０のうちの他方は前後方向に長尺な負極外部接続バスバ（「第１外部接続部材」の一例）３５とされている。
【００３１】
正極外部接続バスバ３１は、図９および図１０に示すように、蓄電素子群７０の正極端部バスバ２５Ｐに接続される第１バスバ接続部３１Ａと、図示しない外部機器に設けられた正極端子ＴＰにボルト締結される第１端子接続部３１Ｃと、第１バスバ接続部３１Ａと第１端子接続部３１Ｃとを繋ぐ短尺連結部３１Ｂとを備えて構成されている。
【００３２】
第１バスバ接続部３１Ａは、正極端部バスバ２５Ｐの上面に沿うようにして正極端部バスバ２５Ｐ上に配置され、溶接などによって正極端部バスバ２５Ｐに電気的に接続されている。したがって、接続モジュール４０が蓄電素子群７０に組み付けられ、複数の蓄電素子７１がバスバ２０によって直列に接続されると、蓄電素子群７０の正極の電力が正極端部バスバ２５Ｐを通じて正極外部接続バスバ３１に出力されるようになる。
【００３３】
短尺連結部３１Ｂは、第１バスバ接続部３１Ａよりも一段高い位置に配されるようにして第１バスバ接続部３１Ａの前端縁に連なって形成されている。一方、第１端子接続部３１Ｃは短尺連結部３１Ｂの前端縁から上方に向かって延びるように短尺連結部３１Ｂの前縁に連なって形成されている。
【００３４】
第１端子接続部３１Ｃは、絶縁プロテクタ４１の前面外壁４１Ａに沿うようにして前方に面した状態で配置されており、第１端子接続部３１Ｃには、締結ボルトＢＴが挿通可能なボルト挿通孔３２が設けられている。
【００３５】
負極外部接続バスバ３５は、図７および図８に示すように、蓄電素子群７０の負極端部バスバ２５Ｎの上面に接続される第２バスバ接続部３５Ａと、図示しない外部機器に設けられた負極端子ＴＮにボルト締結される第２端子接続部３５Ｃと、第２バスバ接続部３５Ａと第２端子接続部３５Ｃとを繋ぐ長尺連結部３５Ｂとを備えて構成されている。
【００３６】
第２バスバ接続部３５Ａは、負極端部バスバ２５Ｎの上面に沿うようにして負極端部バスバ２５Ｎ上に配置されており、溶接などによって負極端部バスバ２５Ｎに電気的に接続されている。したがって、接続モジュール４０が蓄電素子群７０に組み付けられると、蓄電素子群７０の負極の電力が負極端部バスバ２５Ｎを通じて負極外部接続バスバ３５に出力されるようになる。
【００３７】
長尺連結部３５Ｂは、短尺連結部３１Ｂよりも長尺であって、負極端部バスバ２５Ｎの位置から正極端部バスバ２５Ｐが配された側の端部まで前後に延びる形態をなしている。また、長尺連結部３５Ｂは、短尺連結部３１Ｂよりも高い位置において前後方向に真っ直ぐ延びるように第２バスバ接続部３５Ａの前端縁に連なって形成されている。長尺連結部３５Ｂの前端部は、長尺連結部３５Ｂの他の部分よりも更に一段高く形成されており、長尺連結部３５Ｂの前端縁には、下方に向かって延びるようにして第２端子接続部３５Ｃが連なって形成されている。
【００３８】
第２端子接続部３５Ｃは、絶縁プロテクタ４１の前面外壁４１Ａに沿うようにして前方に面した状態で配置されており、第２端子接続部３５Ｃには、締結ボルトＢＴが挿通可能なボルト挿通孔３６が設けられている。
【００３９】
絶縁プロテクタ４１は、図２から図５に示すように、複数のバスバ２０と一対の端部バスバ２５とを保持する第１プロテクタ５０と、一対の外部接続バスバ３０を保持する第２プロテクタ６０とを備えて構成されている。
【００４０】
第１プロテクタ５０は、合成樹脂製の絶縁部材からなり、略矩形枠状のプロテクタ本体５１を有している。プロテクタ本体５１の内部は、隔壁５３によって区切られることで複数のバスバ２０と一対の端部バスバ２５を個別に保持するバスバ保持部５５が設けられている。
【００４１】
バスバ保持部５５は、平面視略矩形状をなし、上下に開口すると共にバスバ２０もしくは端部バスバ２５を内部に保持する。バスバ保持部５５の上端開口は、バスバ２０もしくは端部バスバ２５の外形とほぼ同じ形態とされており、図７から図９に示すように、バスバ保持部５５の底部に設けられた支持部５６によってバスバ２０がバスバ保持部５５内に保持されている。
【００４２】
また、バスバ保持部５５は、図４に示すように、プロテクタ本体５１の左右方向略中央部に設けられた前後方向に延びる配線路５２を基準に左右方向両側に同じ数ずつ（本実施形態では３つずつ）設けられている。
【００４３】
バスバ保持部５５のうち配線路５２の右側に配されたバスバ保持部５５は、右側前端部のバスバ保持部５５が正極端部バスバ２５Ｐを保持し、後側の２つのバスバ保持部５５がバスバ２０をそれぞれ保持している。一方、バスバ保持部５５のうち配線路５２の左側に配されたバスバ保持部５５は、左側後端部のバスバ保持部５５が負極端部バスバ２５Ｎを保持し、前側の２つのバスバ保持部５５がバスバ２０をそれぞれ保持している。
【００４４】
したがって、第１プロテクタ５０のバスバ保持部５５は、配線路５２を境にバスバ保持部５５が前後にずれて配置されており、第１プロテクタ５０の複数のバスバ保持部５５に保持されたバスバ２０によって複数の蓄電素子７１が直列に接続されるようになっている。
【００４５】
第１プロテクタ５０の左右方向略中央部よりも右側の下端部には、図３に示すように、第１プロテクタ５０において最も下方に向かって延出するガイド壁５７が設けられている。ガイド壁５７は、接続モジュール４０を蓄電素子群７０に組み付ける際に、蓄電素子群７０のフレーム７５の外面７５Ａに当接することで蓄電素子群７０に対して接続モジュール４０を正規位置に案内するようになっている。
【００４６】
第２プロテクタ６０は、合成樹脂製の絶縁部材からなり、図３に示すように、第１プロテクタ５０とは別体として形成されている。第２プロテクタ６０は、図５に示すように、負極外部接続バスバ３５の前端部と正極外部接続バスバ３１とを保持する第１バスバ保持部６２と、負極外部接続バスバ３５の長尺連結部３５Ｂを保持する第２バスバ保持部６６と、第２バスバ保持部６６を第１プロテクタ５０に固定する固定部６８とを備えて構成されている。
【００４７】
第１バスバ保持部６２は、図２および図５に示すように、左右方向に長い形態をなしており、第１バスバ保持部６２の両端部に設けられた一対の前側係止片６２Ａと第１プロテクタ５０の図示しない被係止部とが上下方向に係止することで第２プロテクタ６０が第１プロテクタ５０に固定されるようになっている。
【００４８】
第１バスバ保持部６２の左右方向略中央部よりも左側には、図５に示すように、一対のバスバ係止片６２Ｂが設けられており、一対のバスバ係止片６２Ｂと長尺連結部３５Ｂの前部における左右方向両側縁部とが上下方向に係止することで負極外部接続バスバ３５の前端部が第１バスバ保持部６２によって保持されている。
一方、第１バスバ保持部６２の左右方向略中央部よりも右側には、正極外部接続バスバ３１が下方から組み付けられて、図示しない固定手段によって固定されている。
【００４９】
また、第１バスバ保持部６２の前端部は、一方が他方に比べて上下方向に長く構成されている。本実施形態では、図３に示すように、負極外部接続バスバ３５が配された左右方向略中央部よりも左方の左方部６３Ｌの上下方向の長さ寸法が右方の右方部６３Ｒの上下方向の長さ寸法の約２倍に設定されており、第１バスバ保持部６２の左方部６３Ｌの上部および右方部６３Ｒには、図７から図１０に示すように、蓄電素子７１の並び方向と軸方向が同一となるナットＮが組み付けられている。
【００５０】
各ナットＮの前面と、左方部６３Ｌの上部における前面と、右方部６３Ｒの前面とは面一状となるように前方に面する配置とされており、第１プロテクタ５０に第２プロテクタ６０を組み付けて絶縁プロテクタ４１を構成すると、絶縁プロテクタ４１の前面外壁４１Ａにおける上半分を構成する。そして、この前面外壁４１Ａに負極外部接続バスバ３５の第２端子接続部３５Ｃおよび正極外部接続バスバ３１の第１端子接続部３１Ｃが沿って配されている。
【００５１】
第１バスバ保持部６２の前面における左方部６３Ｌの下部は、図７および図８に示すように、第１プロテクタ５０におけるバスバ２０が配された高さ位置よりも高い位置から下方に向かって延びる絶縁壁６４とされ、絶縁壁６４がバスバ２０と負極外部接続バスバ３５の第２端子接続部３５Ｃとの間に配されることで、これらの間を絶縁している。
【００５２】
絶縁壁６４の下端部は、図７および図８に示すように、第２プロテクタ６０において最も下方に突出するガイド部６４Ａとされており、接続モジュール４０を蓄電素子群７０に組み付ける際に、第１プロテクタ５０のガイド壁５７と共に、ガイド部６４Ａが蓄電素子群７０のフレーム７５の外面７５Ａに当接することで蓄電素子群７０に対して接続モジュール４０を正規位置に案内するようになっている。
【００５３】
第２バスバ保持部６６は、図２に示すように、第１バスバ保持部６２の位置からから負極端部バスバ２５Ｎの位置まで前後方向に直線的に延びた形態をなしており、第２バスバ保持部６６の上面には負極外部接続バスバ３５の長尺連結部３５Ｂが配されている。つまり、第２バスバ保持部６６は、図７に示すように、バスバ２０と長尺連結部３５Ｂとの間に配されており、第２バスバ保持部６６によってバスバ２０と長尺連結部３５Ｂとの間が絶縁されている。
【００５４】
固定部６８は、図２および図５に示すように、第２バスバ保持部６６の後部から左右方向に延出された形態をなしている。固定部６８の両端部には、第１プロテクタ５０の図示しない被係止部と上下方向に係止可能な一対の後側係止片６８Ａが設けられており、一対の後側係止片６８Ａは、第１バスバ保持部６２の一対の前側係止片６２Ａと共に、第１プロテクタ５０の被係止部に係止することで、第２プロテクタ６０を第１プロテクタ５０に固定するようになっている。
【００５５】
さて、第１プロテクタ５０のガイド壁５７には、図１および図３に示すように、第１識別子５９が形成されており、第２プロテクタ６０の絶縁壁６４には第２識別子６９が形成されている。
【００５６】
第１識別子５９は、ガイド壁５７の前面における左右方向中央部の下端部であって、第２プロテクタ６０に保持された正極外部接続バスバ３１の第１端子接続部３１Ｃの真下に配置されている。第１識別子５９は、正面視においてプラスの形状をなしており、ガイド壁５７の前面から前方に向かって突出して形成されている。
【００５７】
一方、第２識別子６９は、絶縁壁６４におけるガイド部６４Ａの前面であって、第２プロテクタ６０に保持された負極外部接続バスバ３５の第２端子接続部３５Ｃの真下に配されている。第２識別子６９は、マイナスの形状をなしており、ガイド部６４Ａの前面から前方に向かって突出して形成されている。
すなわち、第１識別子５９は正極外部接続バスバ３１の第１端子接続部３１Ｃが正極であることを示しており、第２識別子６９は負極外部接続バスバ３５の第２端子接続部３５Ｃが負極であることを示している。
【００５８】
また、第１プロテクタ５０は、第２プロテクタ６０とは異なる色の合成樹脂によって形成されている。具体的には、第１プロテクタ５０が赤系に着色された合成樹脂によって形成されており、第２プロテクタ６０が赤系とは異なる色によって形成されている。これにより、第１識別子５９も第２識別子６９とは異なる赤系の色によって形成されている。
【００５９】
本実施形態は、以上のような構成であって、続いて、接続モジュール４０および蓄電モジュール１０の作用および効果について説明する。
【００６０】
蓄電モジュール１０は、蓄電素子群７０に接続モジュール４０を組み付けると、図２に示すように、上方からは接続モジュール４０によって蓄電素子７１がほぼ見えなくなってしまう。このため、接続モジュール４０における一対の外部接続バスバ３０は、互いに異なる極性となっているものの、それぞれの外部接続バスバ３０の極性が判り難いため、外部接続バスバ３０に対して外部機器の端子ＴＰ，ＴＮを間違えて接続してしまうことが懸念される。
【００６１】
ところが、本実施形態によると、図１および図３に示すように、正極外部接続バスバ３１における第１端子接続部３１Ｃの真下には、プラスの形状をなす第１識別子５９が形成されており、負極外部接続バスバ３５における第２端子接続部３５Ｃの真下には、マイナスの形状をなす第２識別子６９が形成されている。すなわち、各識別子５９，６９を確認することでそれぞれの外部接続バスバ３０の極性を容易に判断することができる。これにより、正極外部接続バスバ３１および負極接続バスバ３５に対して外部機器の正極端子ＴＰ、負極端子ＴＮを間違えて接続することを抑制することができる。
【００６２】
また、本実施形態によると、第１識別子５９は、第１プロテクタ５０が第２プロテクタ６０と異なる赤系の色によって構成されることで第２識別子６９とは異なる色によって構成されているから、それぞれの外部接続バスバ３０の極性が識別し易く、外部機器を接続する際の外部接続バスバ３０の極性間違いをさらに抑制することができる。
【００６３】
また、第１識別子５９および第２識別子６９が、正極外部接続バスバ３１の第１端子接続部３１Ｃおよび負極外部接続バスバ３５の第２端子接続部３５Ｃが配された絶縁プロテクタ４１の前面外壁４１Ａに設けられているから、例えば、識別子が、端子接続部が配置された絶縁プロテクタの前面外壁とは異なる上面外壁に設けられている場合に比べて、各外部接続バスバ３０の極性が識別し易く、外部機器を接続する際の外部接続バスバ３０の極性間違いをさらに抑制することができる。
【００６４】
また、第２識別子６９は、第１プロテクタ５０に保持されたバスバ２０と第２プロテクタ６０に保持された負極外部接続バスバ３５との間を絶縁する絶縁壁６４であり、かつ、接続モジュール４０を蓄電素子群７０に組み付ける際に、蓄電素子群７０に対して接続モジュール４０を正規位置に案内するガイド部６４Ａの前面に設けられている。
つまり、第２識別子６９が設けられた部分を、絶縁壁６４やガイド部６４Ａだけでなく、第２識別子６９を設けるための壁として兼用することができるから、第２識別子６９を設ける部分を別途設ける必要がなく、接続モジュール４０が複雑化することを抑制できる。
【００６５】
また、第１識別子５９も、接続モジュールを蓄電素子群に組み付ける際に、第２プロテクタ６０のガイド部６４Ａと共に、蓄電素子群７０に対して接続モジュール４０を正規位置に案内するガイド壁５７に設けられているから、第１識別子５９を設ける部分を別途設ける必要がなく、接続モジュール４０が複雑化することを抑制できる。
【００６６】
＜他の実施形態＞
本明細書で開示される技術は上記記述及び図面によって説明した実施形態に限定されるものではなく、例えば次のような種々の態様も含まれる。
【００６７】
（１）上記実施形態では、第１識別子５９によって正極外部接続バスバ３１の第１端子接続部３１Ｃが正極であることを示し、第２識別子６９によって負極外部接続バスバ３５の第２端子接続部３５Ｃが負極であることを示す構成とした。しかしながら、これに限らず、第１識別子や第２識別子を、第１プロテクタや第２プロテクタと類似のプロテクタとを識別するための識別子として構成してもよく、各プロテクタに取り付けられるバスバや外部接続バスバを識別するための識別子として構成してもよい。
【００６８】
（２）上記実施形態では、正極外部接続バスバ３１の第１端子接続部３１Ｃと負極外部接続バスバ３５の第２端子接続部３５Ｃとを接続モジュール４０の前面外壁４１Ａに設けた構成とした。しかしながら、これに限らず、正極外部接続バスバの第１端子接続部を接続モジュールの前面外壁に設けると共に、負極外部接続バスバの端子接続部を接続モジュールの後面外壁に設け、これに対応するように各識別子を設ける構成にしてもよい。
【００６９】
（３）上記実施形態では、正極外部接続バスバ３１の第１端子接続部３１Ｃの真下に第１識別子５９を設け、負極外部接続バスバ３５の第２端子接続部３５Ｃの真下に第２識別子６９を設けた構成とした。しかしながら、これに限らず、それぞれの外部接続バスバの端子接続部の真横など、それぞれの端子接続部の周囲に識別子を設ける構成にしてもよい。
（４）上記実施形態では、蓄電素子７１の正極端子７３Ｐおよび負極端子７３Ｎにバスバ２０を溶接して接続する構成とした。しかしながら、これに限らず、蓄電素子の各電極端子にバスバをボルト締結して接続する構成にしてもよい。
【符号の説明】
【００７０】
２０：バスバ
３１：正極外部接続バスバ（「第１外部接続部材」の一例）
３１Ｃ：第１端子接続部（「端子接続部」の一例）
３５：負極外部接続バスバ（「第２外部接続部材」の一例）
３５Ｃ：第２端子接続部（「端子接続部」の一例）
４０：接続モジュール
４１：絶縁プロテクタ
４１Ａ：前面外壁（「外壁」の一例）
５０：第１プロテクタ
５７：ガイド壁（「ガイド部」の一例）
５９：第１識別子
６０：第２プロテクタ
６４：絶縁壁
６４Ａ：ガイド部
６９：第２識別子
７０：蓄電素子群
７１：蓄電素子
７３：電極端子
７３Ｎ：負極端子
７３Ｐ：正極端子
７５：フレーム
ＴＮ：外部機器の負極端子（「外部機器の端子」の一例）
ＴＰ：外部機器の正極端子（「外部機器の端子」の一例）
【図１】
2019192558.tif 000003
【図２】
2019192558.tif 000004
【図３】
2019192558.tif 000005
【図４】
2019192558.tif 000006
【図５】
2019192558.tif 000007
【図６】
2019192558.tif 000008
【図７】
2019192558.tif 000009
【図８】
2019192558.tif 000010
【図９】
2019192558.tif 000011
【図１０】
2019192558.tif 000012
【手続補正書】
【提出日】平成30年12月18日(2018.12.18)
【手続補正１】
【補正対象書類名】明細書
【補正対象項目名】０００４
【補正方法】変更
【補正の内容】
【０００４】
ところで、違いを容易に識別することができないと、各部の取り間違えが
懸念される。
【手続補正２】
【補正対象書類名】明細書
【補正対象項目名】０００５
【補正方法】変更
【補正の内容】
【０００５】
本明細書では、各部の識別を容易にする技術を開示する。
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
正極および負極の電極端子を有する蓄電素子が複数個並べられた蓄電素子群に取り付けられる接続モジュールであって、
隣り合う前記蓄電素子の前記電極端子同士を接続する複数のバスバと、
前記複数のバスバを保持した状態で前記蓄電素子群に固定される絶縁プロテクタと、を備え、
前記絶縁プロテクタは、第１プロテクタと、前記第１プロテクタとは別体の第２プロテクタとによって構成されており、
前記第１プロテクタには、第１識別子が設けられており、
前記第２プロテクタには、第１識別子とは異なる第２識別子が設けられており、
前記絶縁プロテクタは、前記複数のバスバと、前記蓄電素子群の一方の極性の電力を出力する第１外部接続部材と、前記蓄電素子群の他方の極性の電力を出力する第２外部接続部材とを保持しており、
前記第１識別子は、前記第１外部接続部材の極性を識別する識別子とされ、
前記第２識別子は、前記第２外部接続部材の極性を識別する識別子とされている接続モジュール。
【請求項２】
前記第１識別子は、前記第１プロテクタが前記第２プロテクタと異なる色によって形成されることで前記第２識別子とは異なる色によって形成されている請求項１に記載の接続モジュール。
【請求項３】
前記第１外部接続部材および前記第２外部接続部材は、外部機器の端子が接続される端子接続部であって、前記絶縁プロテクタの外壁に配置された端子接続部を有しており、
前記第１識別子および前記第２識別子は、前記端子接続部が配置された前記絶縁プロテクタの外壁に設けられている請求項１または請求項２に記載の接続モジュール。
【請求項４】
前記第１プロテクタは、前記複数のバスバを保持しており、
前記第２プロテクタは、前記第１外部接続部材と前記第２外部接続部材とを保持しており、
前記第２プロテクタの外壁の一部は、前記第１外部接続部材と前記複数のバスバとの間に配される絶縁壁によって構成されており、
前記第２識別子は、前記絶縁壁に設けられている請求項２に記載の接続モジュール。
【請求項５】
前記複数の蓄電素子を収容するフレームを有する前記蓄電素子群と、
請求項１から請求項４のいずれか一項に記載の接続モジュールと、を備えた蓄電モジュールであって、
前記絶縁プロテクタにおいて前記第１識別子もしくは前記第２識別子が設けられた部分は、前記蓄電素子側に突出することで、前記接続モジュールを前記蓄電素子群に組み付ける際に前記フレームに当接して前記接続モジュールを正規位置に案内するガイド部とされている蓄電モジュール。
【請求項６】
正極および負極の電極端子を有する蓄電素子が複数個並べられた蓄電素子群と、  前記蓄電素子群に取り付けられる接続モジュールと、を備えた蓄電モジュールであって、
隣り合う前記蓄電素子の前記電極端子同士を接続する複数のバスバと、
前記複数のバスバを保持した状態で前記蓄電素子群に固定される絶縁プロテクタと、を備え、
前記絶縁プロテクタは、第１プロテクタと、前記第１プロテクタとは別体の第２プロテクタとによって構成されており、
前記第１プロテクタには、第１識別子が設けられており、
前記第２プロテクタには、第１識別子とは異なる第２識別子が設けられており、
前記絶縁プロテクタにおいて前記第１識別子もしくは前記第２識別子が設けられた部分は、前記蓄電素子側に突出することで、前記接続モジュールを前記蓄電素子群に組み付ける際に前記フレームに当接して前記接続モジュールを正規位置に案内するガイド部とされている蓄電モジュール。
【手続補正２】
【補正対象書類名】明細書
【補正対象項目名】００５８
【補正方法】変更
【補正の内容】
【００５８】
また、第１プロテクタ５０は、第２プロテクタ６０とは異なる色の合成樹脂によって形成されている。具体的には、第１プロテクタ５０が赤系に着色された合成樹脂によって形成されており、第２プロテクタ６０が赤系とは異なる色の合成樹脂によって形成されている。これにより、第１識別子５９も第２識別子６９とは異なる赤系の色によって形成されている。
【手続補正３】
【補正対象書類名】明細書
【補正対象項目名】００６１
【補正方法】変更
【補正の内容】
【００６１】
ところが、本実施形態によると、図１および図３に示すように、正極外部接続バスバ３１における第１端子接続部３１Ｃの真下には、プラスの形状をなす第１識別子５９が形成されており、負極外部接続バスバ３５における第２端子接続部３５Ｃの真下には、マイナスの形状をなす第２識別子６９が形成されている。すなわち、各識別子５９，６９を確認することでそれぞれの外部接続バスバ３０の極性を容易に判断することができる。これにより、正極外部接続バスバ３１および負極外部接続バスバ３５に対して外部機器の正極端子ＴＰ、負極端子ＴＮを間違えて接続することを抑制することができる。
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
正極および負極の電極端子を有する蓄電素子が複数個並べられた蓄電素子群に取り付けられる接続モジュールであって、
隣り合う前記蓄電素子の前記電極端子同士を接続する複数のバスバと、
前記複数のバスバを保持した状態で前記蓄電素子群に固定される絶縁プロテクタと、を備え、
前記絶縁プロテクタは、第１プロテクタと、前記第１プロテクタとは別体の第２プロテクタとによって構成されており、
前記第１プロテクタには、第１識別子が設けられており、
前記第２プロテクタには、第１識別子とは異なる第２識別子が設けられており、
前記絶縁プロテクタは、前記複数のバスバと、前記蓄電素子群の一方の極性の電力を出力する第１外部接続部材と、前記蓄電素子群の他方の極性の電力を出力する第２外部接続部材とを保持しており、
前記第１識別子は、前記第１外部接続部材の極性を識別する識別子とされ、
前記第２識別子は、前記第２外部接続部材の極性を識別する識別子とされている接続モジュール。
【請求項２】
前記第１識別子は、前記第１プロテクタが前記第２プロテクタと異なる色によって形成されることで前記第２識別子とは異なる色によって形成されている請求項１に記載の接続モジュール。
【請求項３】
前記第１外部接続部材および前記第２外部接続部材は、外部機器の端子が接続される端子接続部であって、前記絶縁プロテクタの外壁に配置された端子接続部を有しており、
前記第１識別子および前記第２識別子は、前記端子接続部が配置された前記絶縁プロテクタの外壁に設けられている請求項１または請求項２に記載の接続モジュール。
【請求項４】
前記第１プロテクタは、前記複数のバスバを保持しており、
前記第２プロテクタは、前記第１外部接続部材と前記第２外部接続部材とを保持しており、
前記第２プロテクタの外壁の一部は、前記第１外部接続部材と前記複数のバスバとの間に配される絶縁壁によって構成されており、
前記第２識別子は、前記絶縁壁に設けられている請求項２に記載の接続モジュール。
【請求項５】
前記複数の蓄電素子を収容するフレームを有する前記蓄電素子群と、
請求項１から請求項４のいずれか一項に記載の接続モジュールと、を備えた蓄電モジュールであって、
前記絶縁プロテクタにおいて前記第１識別子もしくは前記第２識別子が設けられた部分は、前記蓄電素子側に突出することで、前記接続モジュールを前記蓄電素子群に組み付ける際に前記フレームに当接して前記接続モジュールを正規位置に案内するガイド部とされている蓄電モジュール。
【請求項６】
正極および負極の電極端子を有する蓄電素子がフレーム内に複数個並んで収容された蓄電素子群と、  前記蓄電素子群に取り付けられる接続モジュールと、を備えた蓄電モジュールであって、
隣り合う前記蓄電素子の前記電極端子同士を接続する複数のバスバと、
前記複数のバスバを保持した状態で前記蓄電素子群に固定される絶縁プロテクタと、を備え、
前記絶縁プロテクタは、第１プロテクタと、前記第１プロテクタとは別体の第２プロテクタとによって構成されており、
前記第１プロテクタには、第１識別子が設けられており、
前記第２プロテクタには、第１識別子とは異なる第２識別子が設けられており、
前記絶縁プロテクタにおいて前記第１識別子もしくは前記第２識別子が設けられた部分は、前記蓄電素子側に突出することで、前記接続モジュールを前記蓄電素子群に組み付ける際に前記フレームに当接して前記接続モジュールを正規位置に案内するガイド部とされている蓄電モジュール。